(57)【特許請求の範囲】
【請求項１】
平面視長矩形状をした複数の踏み板部材と、これらの踏み板部材を並列状態で支持し、かつこれらの踏み板部材の幅方向に延びる複数の棒状支持部材とを備え、上記棒状支持部材は、その上面に長手方向に延びる第１係合部を備え、上記踏み板部材は、その下面に幅方向に延び、かつ上記第１係合部に係合可能な第２係合部を備えており、上記第１係合部と第２係合部とは、相互係合状態において、上記棒状支持部材の長手方向への上記踏み板部材のスライド移動を許容するとともに、上記棒状支持部材に対する上記踏み板部材の厚み方向への離脱を阻止する敷物であって、
上記棒状支持部材には、上動位置と下動位置とを選択でき、かつ上記上動位置をとるときには上記棒状支持部材に対する上記踏み板部材のスライド移動を阻止するとともに、上記下動位置をとるときには上記棒状支持部材に対する上記踏み板部材のスライド移動を許容するストッパ部材が、上記棒状支持部材の長手方向に間隔を開けて複数形成されていることを特徴とする、敷物。
【請求項２】
上記ストッパ部材は、上記棒状支持部材の長手方向両端部において、上記上動位置をとるときに係合突起が上記踏み板部材の下面に形成された凹部に係合する第１ストッパ部材と、上記棒状支持部材の長手方向中間部において、上記上動位置をとるときに係合突起が各踏み板部材間の隙間に係合する第２ストッパ部材とを含んでいる、請求項１に記載の敷物。
【請求項３】
上記棒状支持部材は、樹脂を成形することによって形成されており、上記ストッパ部材は、上記棒状支持部材の上面に形成された開口部において、この開口部の対向内縁からそれぞれインテグラルヒンジを介して開口部の内方に向けて一体延出する一対の板状連結部と、これらの板状連結部の内方端に対して両端部がそれぞれインテグラルヒンジを介して一体連結され、上面に係合突起が形成された板状中間部とを備え、一対の板状連結部および板状中間部の延長長さが上記開口部の対向内縁間寸法よりも大に設定されることにより形成されている、請求項２に記載の敷物。
【請求項４】
上記第１ストッパ部材の板状中間部の下面には、棒状摘みが突出形成されている、請求項３に記載の敷物。
【請求項５】
全体として平面視において略正方形を呈しており、その各辺には、上下方向から係合可能な雄・雌係合部が形成されている、請求項１ないし４のいずれかに記載の敷物。
【請求項６】
上記各辺には、それぞれ偶数個の上記雄・雌係合部が等間隔に同数形成されているとともに、その一方向に数えて奇数番目に雄係合部または雌係合部が、偶数番目に雌係合部または雄係合部が形成されている、請求項５に記載の敷物。
【請求項７】
等間隔に並列された偶数本の上記棒状支持部材を備えており、これら棒状支持部材は、一端面に上記雄係合部または雌係合部を、他端面に上記雌係合部または雄係合部を、それぞれ備えているとともに、両端に配置される２本の棒状支持部材の外側面には、上記雄係合部と雌係合部とが交互に形成されている、請求項６に記載の敷物。
【請求項８】
上記第１係合部は、その断面において先端部側の幅が基端部側の幅よりも大きくなされている、請求項１ないし７のいずれかに記載の敷物。
【請求項９】
上記踏み板部材は、木製である、請求項１ないし８のいずれかに記載の敷物。
【発明の詳細な説明】
【０００１】
【発明の属する技術分野】
本願発明は、敷物に関し、例えば、ベランダやガーデンでスノコなどとして用いられるのに好適な敷物に関する。
【０００２】
【従来の技術】
従来より、ベランダやガーデンなど屋内外においてスノコなどとして使用される敷物としては、例えば、図９ないし図１１に示したようなものが一般的に使用されている。このような敷物１００は、図９に示すように、全体として矩形状とされたフレーム１１０に対して、たとえば木材などにより平面視長矩形状に形成された複数の踏み板部材１２０を、並列状態に取り付けた構成とされている。
【０００３】
上記フレーム１１０には、図９に示すように、向い合う２辺のそれぞれに、平面方向に突出する複数のループ部１１１が一定間隔隔てて形成されており、残りの２辺のそれぞれに、ループ部１１１に挿通可能な構成とされた複数の軸部１１２が、下方に突出するようにしてループ部１１１と同様なピッチで形成されている。この構成により、複数の敷物１００は、隣り合う敷物１００のうち一方の敷物１００のループ部１１１と他方の敷物１００の軸部１１２とを対応するようにして配置し、ループ部１１１に軸部１１２を挿通することによって、互いに連結される。このようにして、敷物１００は、所望の広さで使用される。
【０００４】
上記フレーム１１０の下面には、図１０および図１１に示すように、下方に突出する複数の支持柱１１３が格子状に配列されるようにして複数形成されている。これらの支持柱１１３のうち少なくとも一部は、フレーム１１０の表面側まで通じる貫通穴１１４を有している。上記踏み板部材１２０は、フレーム１１０の裏側からこれらの貫通穴１１４に通した、例えば、ボルトなどの締結部材１１５によって位置決めされ固定されている。このようにして、フレーム１１０と踏み板部材１２０とを取り付けることにより、１枚の敷物１００が構成されている。
【０００５】
【発明が解決しようとする課題】
しかしながら、上記敷物１００は、ボルトなどの締結部材１１５を締結する際に工具等を必要とするため、手間を要し、組み立て作業を容易に行うことができない。
【０００６】
そこで、本願発明は、上記した事情のもとで考え出されたものであって、工具等を必要とせずに組み立て作業を行うことができる敷物を提供することをその課題とする。
【０００７】
【発明の開示】
上記課題を解決するため、本願発明では、次の技術的手段を講じている。
【０００８】
すなわち、本願発明により提供される敷物は、平面視長矩形状をした複数の踏み板部材と、これらの踏み板部材を並列状態で支持し、かつこれらの踏み板部材の幅方向に延びる複数の棒状支持部材とを備え、上記棒状支持部材は、その上面に長手方向に延びる第１係合部を備え、上記踏み板部材は、その下面に幅方向に延び、かつ上記第１係合部に係合可能な第２係合部を備えており、上記第１係合部と第２係合部とは、相互係合状態において、上記棒状支持部材の長手方向への上記踏み板部材のスライド移動を許容するとともに、上記棒状支持部材に対する上記踏み板部材の厚み方向への離脱を阻止する敷物であって、上記棒状支持部材には、上動位置と下動位置とを選択でき、かつ上記上動位置をとるときには上記棒状支持部材に対する上記踏み板部材のスライド移動を阻止するとともに、上記下動位置をとるときには上記棒状支持部材に対する上記踏み板部材のスライド移動を許容するストッパ部材が、上記棒状支持部材の長手方向に間隔を開けて複数形成されていることを特徴としている。
【０００９】
上記技術的手段が講じられた本願発明により提供される敷物では、敷物の表面をなす踏み板部材の第２係合部を、踏み板部材の基台となる棒状支持部材の第１係合部に係合させつつスライド移動させるだけで組み立てることができる。すなわち、工具等を必要とせず、容易に組み立て作業を行うことができる。また、上記第１係合部および第２係合部の係合により、棒状支持部材に取り付けた踏み板部材は、その厚み方向の離脱が阻止されているので、組み立てた敷物は、容易に分解されることなく、これを安定して使用することができる。
【００１０】
なお、上記第１係合部としては、その断面において先端部側の幅が基端部側の幅よりも大きくなされている構成とすることができる。
【００１２】
上記技術的手段が講じられた本願発明により提供される敷物ではまた、上記棒状支持部材には、上下動可能なストッパ部材が複数形成されており、これらのストッパ部材を上動位置にセットすれば、上記踏み板部材のスライド移動を阻止することができるので、組み立てた敷物をより安定して使用することができる。なお、この敷物の組み立てにおいては、これらのストッパ部材を下動位置にセットするだけで、踏み板部材をスライド移動可能にすることができ、操作が簡単である。
【００１３】
なお、上記ストッパ部材としては、上記棒状支持部材の長手方向両端部において、上記上動位置をとるときに係合突起が上記踏み板部材の下面に形成された凹部に係合する第１ストッパ部材と、上記棒状支持部材の長手方向中間部において、上記上動位置をとるときに係合突起が各踏み板部材間の隙間に係合する第２ストッパ部材とを形成することにより、両ストッパ部材の上動位置において、上記踏み板部材のスライド移動を阻止することができる。
【００１４】
また、他の好ましい実施の形態としては、上記棒状支持部材は、樹脂を成形することによって形成されており、上記ストッパ部材は、上記棒状支持部材の上面に形成された開口部において、この開口部の対向内縁からそれぞれインテグラルヒンジを介して開口部の内方に向けて一体延出する一対の板状連結部と、これらの板状連結部の内方端に対して両端部がそれぞれインテグラルヒンジを介して一体連結され、上面に係合突起が形成された板状中間部とを備え、一対の板状連結部および板状中間部の延長長さが上記開口部の対向内縁間寸法よりも大に設定されることにより形成されている構成とし、上記棒状支持部材と上記ストッパ部材とを一体成形することができるので、製造効率がよい。また、上述のように、一対の板状連結部および板状中間部の延長長さを上記開口部の対向内縁間寸法よりも大となるように設定しているので、別途の固定手段を要さずとも、ストッパ部材の動作において、その上動位置および下動位置の２箇所で安定保持することができ、ストッパ部材を操作することを容易にできる。
【００１５】
さらに、他の好ましい実施の形態としては、上記第１ストッパ部材の板状中間部の下面には、棒状摘みが突出形成されている構成とすることができる。
【００１６】
このような構成が適用された実施形態によれば、上記第１ストッパ部材は、板状中間部の下面から突出形成されている棒状摘みを下方に引くことにより、上記踏み板部材の凹部との係合を解除することができるので、踏み板部材を棒状支持部材に固定した後でも、再び取り外すことができる。
【００１７】
さらにまた、他の好ましい実施の形態としては、全体として平面視において略正方形を呈しており、その各辺には、上下方向から係合可能な雄・雌係合部が形成されている構成とすることができる。
【００１８】
このような構成が適用された実施形態によれば、１つの上記敷物の雄係合部と別の上記敷物の雌係合部とを係合させることにより、敷物を複数連結することができるので、所望の広さの敷物集合体を形成することができる。
【００１９】
さらにまた、他の好ましい実施の形態としては、上記各辺には、それぞれ偶数個の上記雄・雌係合部が等間隔に同数形成されているとともに、その一方向に数えて奇数番目に雄係合部または雌係合部が、偶数番目に雌係合部または雄係合部が形成されている構成とすることができる。
【００２０】
このような構成が適用された実施形態によれば、敷物を複数連結する際に、一方の踏み板部材の長手方向と他方の踏み板部材の長手方向とが連なる配置、または、一方の踏み板部材の長手方向と他方の踏み板部材の幅方向とが連なる配置に連結することができる。
【００２１】
さらにまた、他の好ましい実施の形態としては、等間隔に並列された偶数本の上記棒状支持部材を備えており、これら棒状支持部材は、一端面に上記雄係合部または雌係合部を、他端面に上記雌係合部または雄係合部を、それぞれ備えているとともに、両端に配置される２本の棒状支持部材の外側面には、上記雄係合部と雌係合部とが交互に形成されている構成とすることができる。
【００２２】
このような構成が適用された実施形態によれば、棒状支持部材の両端面にそれぞれ雄係合部または雌係合部のいずれかを形成し、そして上記踏み板部材の両端部に配置される２本の棒状支持部材にのみ、その外側面に上記雄・雌係合部を交互に偶数個形成することにより、雄・雌係合部を形成すべき数を最小限に抑えることができ、製造効率を向上することができる。
【００２３】
なお、上記踏み板部材としては、表面に木目紋が現れた木材製である構成とすることができる。
【００２４】
本願発明のその他の特徴および利点については、以下に行う発明の実施の形態の説明から、より明らかになるであろう。
【００２５】
【発明の実施の形態】
以下、本願発明の好ましい実施の形態について、図面を参照して具体的に説明する。
【００２６】
図１は、本願発明に係る敷物の一例を示す全体斜視図、図２は、図１に示す敷物の左側面図、図３は、図１の踏み板部材を裏側から見た全体斜視図、図４は、図３の踏み板部材の第２係合部を拡大して示した底面図、図５は、図１の棒状支持部材を拡大して示した斜視図、図６および図７は、それぞれ、図５のVI−VI線およびVII−VII線に沿う断面図、図８は、図１の複数枚の敷物を連結させた状態を示す斜視図である。
【００２７】
図１に示すように、敷物１は、平面視長矩形状をした８枚の踏み板部材２…と、これらの踏み板部材２…を並列状態で支持するとともにこれらの踏み板部材２…の幅方向に延びる４本の棒状支持部材３…とを備えており、棒状支持部材３…に備えられた第１係合部３０に各踏み板部材２…の第２係合部２０を係合させることによって、組み立てられている。
【００２８】
上記各踏み板部材２…は、敷物１を敷いた際に表面となって現れる部品であって、図３に示すように、その下面には、幅方向に互いに平行に延びる４本の第２係合部２０…が等間隔に形成されている。各第２係合部２０…は、上記棒状支持部材３…の第１係合部３０と係合可能であり、図１および図２に示すように、それぞれが各棒状支持部材３…の第１係合部３０と係合した状態で、踏み板部材２…が幅方向にスライド移動しうるように、一様断面を有するほぞ穴状となっている。また、第２係合部２０の底部には、踏み板部材２の厚み方向に孔状に形成された凹部２２…が設けられている。
【００２９】
なお、各踏み板部材２…としては、表面に木目紋が現れた例えばチーク材などの木材から形成して、外観および触感を向上させることもできる。
【００３０】
上記踏み板部材２…は、これらの凹部２２…に上記棒状支持部材３…の後述する第１ストッパ部材３１…を係合させることによって、幅方向にスライド移動するのを阻止されるが、図３に示すように、上記４本の第２係合部２０…のうち、踏み板部材２の両端部に設けられた２本の第２係合部２０ａ…にのみ凹部２２…を形成して、第１ストッパ部材３１…を係合させる手間を最小限に抑えることもできる。さらに、これらの凹部２２…を、８つの踏み板部材２…のうち、棒状支持部材３…の両端に取り付けられる２枚の踏み板部材２ａ，２ａにのみ形成することもできる。
【００３１】
上記各棒状支持部材３…は、その上に上記踏み板部材２…を取り付けて支持する部品であって、本実施形態では、例えばポリプロピレンなどの熱可塑性樹脂によって形成されている。各棒状支持部材３…は、図５〜図７に示すように、その上面に踏み板部材２を載置し全体として長矩形を呈した固定面３５を備え、この固定面３５の各辺部から下向きに延びるスカート３６…を形成して剛性を与えて構成されている。なお、図６に示すように、固定面３５の底面から下向きに延びるリブ３７を形成してさらに剛性を与えることもできる。
【００３２】
上記各棒状支持部材３…の上記固定面３５には、図５に示すように、棒状支持部材３…の長手方向に延びる第１係合部３０…、および棒状支持部材３…の長手方向に間隔を開けて、すなわち第１係合部３０…を長手方向に区切ったその間に位置するストッパ部材３１…，３２…を形成することもできる。
【００３３】
上記第１係合部３０…は、上記踏み板部材２…の第２係合部２０がピッタリと係合してスライド移動が可能なように、一様断面を有している。この第１係合部３０の断面形状は、図２および図５に示すように、その断面において先端部の幅（同図の上側）が基端部の幅よりも大とされた蟻ほぞ状に形成することができる。このため、各踏み板部材２…は、その第２係合部２０…とこの第１係合部３０…とを係合させた状態で、棒状支持部材３…の長手方向にスライド移動可能とされているだけでなく、その厚み方向への離脱が阻止される。
【００３４】
上記ストッパ部材３１…，３２…は、図６に示すように、上動位置と下動位置とを選択的に移動可能であり、上動位置をとるときには上記棒状支持部材３…に対する上記踏み板部材２…のスライド移動を阻止し、下動位置をとるときにはこれを許容する。これらのストッパ部材には、上動位置をとるときに後述する係合突起３１ａが踏み板部材２…の上記凹部２２…に係合する第１ストッパ部材３１…と、図１に示すように、上動位置をとるときに後述する係合突起３２ａが各踏み板部材２…間の隙間に係合する第２ストッパ部材３２…とがある。
【００３５】
上記第１ストッパ部材３１は、図５および図６に示すように、上記棒状支持部材３…の上面に形成された開口部３５ａにおいて、この開口部３５ａの対向内縁からそれぞれインテグラルヒンジ３１ｅ…を介して開口部３５ａの内方に向けて一体延出する一対の板状連結部３１ｂ…と、これらの板状連結部３１ｂ…の内方端に対して両端部がそれぞれインテグラルヒンジ３１ｅ′…を介して一体連結された板状中間部３１ｃとを備え、この板状中間部３１ｃの上面には上記踏み板部材２…の凹部２２に係合しうる係合突起３１ａが形成されている。また、一対の板状連結部３１ｂ…および板状中間部３１ｃ…は、棒状支持部材３…の長手方向に延びるとともに、その延長長さが上記開口部３５ａの対向内縁間寸法よりも大に設定されている。この第１ストッパ部材３１は、これらがポリプロピレンなどによって形成されているが故に若干の弾性変形が可能であるので、上方から押すことにより下動位置をとることができ、下方から押し上げることにより上動位置をとることができる。しかも、第１ストッパ部材３１は、上動位置と下動位置との中間位置で安定することがなく、上動位置および下動位置の２箇所においてのみ安定することとなるので、第１ストッパ部材３１の操作を容易にすることができる。また、板状中間部３１ｃの高さは、上動位置をとるときには、係合突起３１ａが踏み板部材２…の上記凹部２２と係合しうる高さに、また下動位置をとるときには、係合突起３１ａが踏み板部材２…よりも下方に位置しうる高さに設定されることにより、踏み板部材２…のスライド移動を阻止または許容することができる。
【００３６】
また、上記第１ストッパ部材３１は、図６に示すように、上記板状中間部３１ｃの下面から下方に突出する棒状摘み３１ｄを形成して、この棒状摘み３１ｄを下方に引くことにより、上記踏み板部材２…の凹部２２との係合を解除することもできる。すなわち、踏み板部材２…は、棒状支持部材３…に固定した後でも、再び取り外すことが容易に可能である。
【００３７】
なお、上記第１ストッパ部材３１を、上記棒状支持部材３…の長手方向両端部にのみ形成すれば、全ての踏み板部材２…のスライド移動を阻止できるので、棒状支持部材３…の構造を単純化するとともに、踏み板部材２…の固定作業を効率化することもできる。
【００３８】
上記第２ストッパ部材３２…は、図５および図７に示すように、上記棒状支持部材３…の上面に形成された開口部３５ｂにおいて、この開口部３５ｂの対向内縁からそれぞれインテグラルヒンジ３２ｅ…を介して開口部３５ｂの内方に向けて一体延出する一対の板状連結部３２ｂ…と、これらの板状連結部３２ｂ…の内方端に対して両端部がそれぞれインテグラルヒンジ３２ｅ′…を介して一体連結された板状中間部３２ｃとを備え、この板状中間部３２ｃの上面には上記各踏み板部材２…間の隙間に係合するとともに上記第２係合部２０の断面よりも大なる矩形を呈する係合突起３２ａが形成されている。また、一対の板状連結部３２ｂ…および板状中間部３２ｃ…は、棒状支持部材３…の幅方向に延びるとともに、その延長長さが上記開口部３５ｂの対向内縁間寸法よりも大に設定されている。この第２ストッパ部材３２は、これらがポリプロピレンなどによって形成されているが故に若干の弾性変形が可能であるので、上方から押すことにより下動位置をとることができ、下方から押し上げることにより上動位置をとることができる。しかも、第２ストッパ部材３２は、上動位置と下動位置との中間位置で安定することがなく、上動位置および下動位置の２箇所においてのみ安定することとなるので、第２ストッパ部材３２の操作を容易にすることができる。また、板状中間部３２ｃの高さは、上動位置をとるときには、係合突起３２ａの上端が踏み板部材２…の下面よりも高く、また下動位置をとるときには、係合突起３２ａ上端が踏み板部材２…の下面よりも低く位置しうる高さに設定されることにより、踏み板部材２…のスライド移動を阻止または許容することができる。
【００３９】
また、敷物１は、本実施形態では、全体として、平面視において約６０ｃｍ四方の正方形を呈しており、その各辺に対応する上記棒状支持部材３…のスカート３６…には、図１に示すように、上下方向から係合可能な雄係合部３３…および雌係合部３４が形成されている。
【００４０】
上記雄係合部３３は、図５に示すように、平面視でＴ字状を呈した一様断面を有しており、スカート３６…壁面から水平に延びる胴部３３ｂと、この胴部３３ｂの端部に形成した頭部３３ａとから構成される。上記雌係合部３４は、平面視でＬ字状を呈した一様断面を有した右部３４ａと左部３４ｂとをスカート３６…壁面から突出してなり、右部３４ａと左部３４ｂとの間には、上記雄係合部３３の胴部３３ｂが通り、かつ頭部３３ａが通りえない間隔が空けられている。このような構成により、雄係合部３３は、雌係合部３４に対して上下方向にスライドしつつ係合することができる。
【００４１】
上記雄係合部３３および雌係合部３４は、この敷物１の各辺に４個ずつ等間隔に形成されており、各辺の一方向に数えて奇数番目は、雄係合部３３または雌係合部３４、偶数番目は、雌係合部３４または雄係合部３３の配置とされている。これにより、敷物を複数連結して所望の広さの敷物集合体を形成することができ、その際には、一方の踏み板部材２の長手方向と他方の踏み板部材２の長手方向とが連なる配置、または、一方の踏み板部材２の長手方向と他方の踏み板部材２の幅方向とが連なる配置に連結することができる。具体的には以下に説明する通りである。
【００４２】
上記スカート３６…のうち上記棒状支持部材３…の端面に相当する短スカート３６ａ…には、それぞれ、上記雄係合部３３または雌係合部３４のいずれかが備えられている。すなわち、短スカート３６ａ…の一方には雄係合部３３または雌係合部３４が、他方には雌係合部３４または雄係合部３３が形成されている。また、上記スカート３６…のうち上記棒状支持部材３…の側面に相当する長スカート３６ｂ…には、上記雄係合部３３および雌係合部３４が交互に合計４個設けられており、それらの間隔は、上記踏み板部材２…の４本の第２係合部２０の間隔に等しくされている。また、これらの棒状支持部材３…は、本実施形態では、組み立て状態において、短スカート３６ａ…に備えられた雄係合部３３と雌係合部３４とが交互に並ぶように、隣り合う棒状支持部材３…が互いに１８０度向きを変えた状態で配置されており、これにより、複数の敷物１を連結する場合、図８に示すように、隣り合う敷物１のうち一方の踏み板部材２…の長手方向と他方の踏み板部材２…の長手方向とが連なる配置、または、一方の踏み板部材２…の長手方向と他方の踏み板部材２…の幅方向とが連なる配置に連結することができるのである。
【００４３】
なお、上記長スカート３６ｂ…のうち、この敷物１の両端部に配置される２本の棒状支持部材３…における、この敷物１の外側面となる２つにのみ、上記雄係合部３３および雌係合部３４を形成して、雄・雌係合部３３，３４を形成すべき数を最小限に抑えることもできる。これにより、製造効率の向上あるいは製造コストの削減が可能となる。
【００４４】
次に、上記構成を有する敷物の作用の要点について説明する。
【００４５】
本実施形態における組み立て作業においては、まず４本の棒状支持部材３ａ，３ｂ，３ｂ，３ａを順に１８０度ずつ向きを変えて配置する。このとき、各棒状支持部材３…の各第１ストッパ部材３１…および各第２ストッパ部材３２は、上方から押して下方に位置させておく。次いで、踏み板部材２の各第２係合部２０…を各棒状支持部材３…の第１係合部３０に係合させつつスライド移動させて所定の位置に配置する。次に、装着した上記踏み板部材２に隣接する第２ストッパ部材３２…を、各棒状支持部材３…の裏側から押して上方に位置させる。上記手順を繰り返して８枚の踏み板部材２…を棒状支持部材３…に取り付ける。次に、棒状支持部材３…の両端に装着された踏み板部材２ａ，２ａの下に位置する第１ストッパ部材３１…を、各棒状支持部材３…の裏側から押して上方に移動させて、各踏み板部材２ａ，２ａの凹部２２…に係合させる。このようにして、図１の敷物１が完成する。なお、複数の敷物１…を連結するには、連結させる敷物の雄係合部３３と雌係合部３４とが、連結される敷物の雌係合部３４と雄係合部３３とにそれぞれ係合するように、連結させる敷物を上方から装着すればよい。なお、この敷物１…は、本実施形態では、平面視で正方形とされているので、隣り合う敷物の踏み板部材２…を９０度向きを変えて配置し、所望の配列になるようにすることができる。
【００４６】
上記したことからわかるように、この敷物１は、工具等を必要とせず、容易に組み立て作業を行うことができる。しかも、第１ストッパ部材３１…および第２ストッパ部材３２…は、棒状支持部材３…に上下移動可能に一体的に設けられており、例えば、ボルト等のように他の独立した部品ではないので、組み立ての作業効率が良い。
【００４７】
また、この敷物１は、組み立て前の状態において、販売に供することができる。すなわち、４本の棒状支持部材３…と、８枚の踏み板部材２…とをセットにして販売することができる。このような組み立て前の状態では、嵩が低いので、在庫スペースおよび運搬コストが著しく低減されるので、さらに製品コストを抑制できる。
【図面の簡単な説明】
【図１】  本願発明に係る敷物の一例を示す全体斜視図である。
【図２】  図１に示す敷物の左側面図である。
【図３】  図１の敷物を構成する踏み板部材を裏側から見た全体斜視図である。
【図４】  図３の踏み板部材の第２係合部を拡大して示した底面図である。
【図５】  図１の敷物を構成する棒状支持部材を拡大して示した斜視図である。
【図６】  図５のVI−VI線に沿う断面図である。
【図７】  図５のVII−VII線に沿う断面図である。
【図８】  図１の複数枚の敷物を連結させた状態を示す斜視図である。
【図９】  従来の敷物の一例を示す全体斜視図である。
【図１０】  図９の敷物を構成するフレームの底面図である。
【図１１】  図１０のXI−XI線に沿う断面図である。
【符号の説明】
１              敷物
２ａ，２ｂ      踏み板部材
３              棒状支持部材
２０ａ，２０ｂ  第２係合部
２２            凹部
３０            第１係合部
３１            第１ストッパ部材
３１ａ，３２ａ  係合突起
３１ｂ，３２ｂ  板状連結部
３１ｃ，３２ｃ  板状中間部
３１ｄ          棒状摘み
３２            第２ストッパ部材
３３            雄係合部
３４            雌係合部
３５ａ，３５ｂ  開口部
【図１】
0004531927.tif 000002
【図２】
0004531927.tif 000003
【図３】
0004531927.tif 000004
【図４】
0004531927.tif 000005
【図５】
0004531927.tif 000006
【図６】
0004531927.tif 000007
【図７】
0004531927.tif 000008
【図８】
0004531927.tif 000009
【図９】
0004531927.tif 000010
【図１０】
0004531927.tif 000011
【図１１】
0004531927.tif 000012